(57)【要約】      （修正有）【課題】寝返り等の無意識の行動があっても、医療・介護用管の絡みを回避した医療・介護用管絡み防止具とこれを用いた医療・介護装置を提供する。【解決手段】医療・介護用管絡み防止具１３０とこれを用いた医療・介護装置１００は、患者等に設置する医療・介護装具１２０とこれに繋がる導管と供給側の導管１１０と、両導管の間に介挿され、回転可能に結合をし、且つ患者等への供給物を通過する通過路を有する導管結合体である管絡み防止具とを備えている。【選択図】図１
2015084793.tif 000002
【特許請求の範囲】
【請求項１】
二つの容器が、一方が他方に嵌り回転可能にかみ合い、一方の容器は、供給物を患者に供給する供給側用の導管を接続する第一の接続部を備え、他方の容器は、供給物を患者へ供給するために患者に直接装着される装具である医療・介護装具へ繋がる導管を接続する第二の接続部を備え、前記二つの容器は、前記第一の接続部から前記第二の接続部へ前記供給物を通過させる通過手段を備え、
前記回転の軸が、患者の寝返りの回転に沿うように患者の頭頂に設置されることで、寝返り動作に応じて前記二つの容器が互いに回転し、前記導管の患者への絡みを防止することを特徴とする医療・介護用管絡み防止具。
【請求項２】
前記二つの容器の間の回転接触部には、回転を円滑にするボールベアリングを備え、回転接触部が密に接触するようにバネで付勢されていることを特徴とする請求項１記載の医療・介護用管絡み防止具。
【請求項３】
前記二つの容器の前記患者の頭頂に設置される側には、頭頂の凸形状に対応した凹形状のアタッチメント又は頭部にかぶるためのヘルメットを備えていることを特徴とする請求項１又は請求項２記載の医療・介護用管絡み防止具。
【請求項４】
供給物を患者へ供給するために患者に直接装着される装具であり、導管を有する医療・介護装具と、前記導管に前記第二の接続部を介して繋がる請求項１から請求項３のいずれか一つに記載の医療・介護用管絡み防止具とを備えたことを特徴とする医療・介護用管絡み防止装置。
【請求項５】
患者の収容されたベッドの柱又はベッドの近傍に立設される柱状体とこれに備えた回転台又は及び滑車又は及び導管を誘導するためにベッドの略中央の上部に延びた棹を備えたことを特徴とする請求項４記載の医療・介護用管絡み防止装置。
【発明の詳細な説明】
【技術分野】
【０００１】
本発明は、人工呼吸器や酸素吸入器、点滴などのように医療・介護に置いて管を患者の体に長時間に亘り施す場合に、寝返りなど患者の無意識状態での行動により医療・介護用管を患者（特に赤子等の幼児や無意識障害者）の首等に巻きつけてしまうことを防止する医療・介護用管絡み防止具とこれを用いた医療・介護用管絡み防止装置に関するものである。
【背景技術】
【０００２】
従来、医療・介護用管を患者に施す装置として色々のものが上げられるが、一例として呼吸装置を例に取ると、図６の６−Ａから６−Ｄに示すようなものを見出すことができる。マスクの形態としては鼻の穴に差し込むタイプ、鼻に被せるタイプに分けられる。何れも共通していることは鼻の左右に伸びる管を耳に掛け手、首の後ろ又は前から酸素等を供給する側に管を接続する形態をとっている。この形態では、意識のある大人はよいが、赤子のような幼児、意識障害者は、無意識の寝返り等の動作で、特に一方方向への回転動作で容易に医療用管を首に巻きつけてしまう致命的欠陥がある。特に、このような場合、その事故を恐れて、看護人や家族が安心して眠ることができず、過度の看護をする不都合があった。図５には、幼児の寝返りによる医療・介護用管の首への絡み事故例を示した。
【先行技術文献】
【特許文献】
【０００３】
【特許文献１】実用新案登録第３１２７４２２
【特許文献２】特開２００６−３４０８９７
【特許文献３】特開２００３−０３８６４７
【特許文献４】特開２０１１−５６２８６
【発明の概要】
【発明が解決しようとする課題】
【０００４】
本発明の課題は、寝返り等の無意識の行動があっても、医療・介護用管の絡みを回避した医療・介護用管絡み防止具とこれを用いた医療・介護用管絡み防止装置を提供することである。
【課題を解決するための手段】
【０００５】
本発明の医療・介護用管絡み防止具とこれを用いた医療・介護用管絡み防止装置は、寝返り動作の回転に合わせて回転することで患者等に絡まなくする回転可能な結合をした導管結合体を有し、これを供給側と患者の患部の間の管間に介挿し、導管結合体の回転方向が患者等の寝返りの回転方向に合うように導管結合体を設置する医療・介護用管絡み防止装置である。
以下、請求項に沿って記述する。
【０００６】
請求項１記載の発明は、医療・介護用管絡み防止具であって、
二つの容器が、一方が他方に嵌り回転可能にかみ合い、一方の容器は、供給物を患者に供給する供給側用の導管を接続する第一の接続部を備え、他方の容器は、供給物を患者へ供給するために患者に直接装着される装具である医療・介護装具へ繋がる導管を接続する第二の接続部を備え、前記二つの容器は、前記第一の接続部から前記第二の接続部へ前記供給物を通過させる通過手段を備え、
前記回転の軸が、患者の寝返りの回転に沿うように患者の頭頂に設置されることで、寝返り動作に応じて前記二つの容器が互いに回転し、前記導管の患者への絡みを防止することを特徴とする。
【０００７】
請求項２記載の発明は、請求項１記載の医療・介護用管絡み防止具において、
前記二つの容器の間の回転接触部には、回転を円滑にするボールベアリングを備え、回転接触部が密に接触するようにバネで付勢されていることを特徴とする。
【０００８】
請求項３記載の発明は、請求項１又は請求項２記載の医療・介護用管絡み防止具において、
前記二つの容器の前記患者の頭頂に設置される側には、頭頂の凸形状に対応した凹形状のアタッチメント又は頭部にかぶるためのヘルメットを備えていることを特徴とする。
【０００９】
請求項４記載の発明は、医療・介護用管絡み防止装置であって、
供給物を患者へ供給するために患者に直接装着される装具であり、導管を有する医療・介護装具と、前記導管に前記第二の接続部を介して繋がる請求項１から請求項３のいずれか一つに記載の医療・介護用管絡み防止具とを備えたことを特徴とする。
【００１０】
請求項５記載の発明は、請求項４記載の医療・介護用管絡み防止装置において、
患者の収容されたベッドの柱又はベッドの近傍に立設される柱状体とこれに備えた回転台又は及び滑車又は及び導管を誘導するためにベッドの略中央の上部に延びた棹を備えたことを特徴とする。
【発明の効果】
【００１１】
以上の様に構成されているので、本発明による医療用管絡み防止具とこれを用いた医療・介護用管絡み防止装置では、幼児又は意識障害者の寝返り等の無意識の行動があっても、医療用管の患者への、特に首等への絡みが回避でき安全を維持することができる。
【図面の簡単な説明】
【００１２】
【図１】本発明による医療・介護用管絡み防止具とこれを用いた医療・介護用管絡み防止装置の一実施態様を示す図である。
【図２】本発明による医療・介護用管絡み防止具の詳細な実施態様を示す図である。
【図３】取付具を備えた本発明による医療・介護用管絡み防止具の形態の一実施態様を示す図である。
【図４】本発明による医療・介護用管絡み防止具とこれを用いた医療・介護用管絡み防止装置を適用の一実施態様を示す図である。
【図５】幼児の寝返りによる医療・介護用管の首への絡み事故を示す図である。
【図６】従来の医療・介護用管の一例として呼吸用管の適用例を示す図である。
【発明を実施するための形態】
【００１３】
本発明による医療・介護用管絡み防止具は、赤子等の幼児、意識障害者（以下患者等とする）に付けられる医療・介護用管が、患者等の寝返りの動作があっても、寝返り動作の回転に合わせて回転することで患者等に絡まなくする回転可能な結合をした導管結合体であり、これを供給側と患者の患部の間の管間に介挿し、導管結合体の回転方向が患者等の寝返りの回転方向に合うように導管結合体を設置する医療・介護用管絡み防止装置であり、特に頭部上部に設置する形態を備えることで寝返りによる首絡みを有効に回避するものである。
以下図に沿って説明する。
【００１４】
図１は、本発明による医療用管絡み防止具とこれを用いた医療・介護用管絡み防止装置の一実施態様を示す図である。
Ａ−１において、医療・介護用管絡み防止装置１００は、患者等に設置する医療・介護装具１２０とこれに繋がる導管と供給側の導管１１０と、両導管の間に介挿され、回転可能に結合をし、且つ患者等への供給物を通過する通過路を有する導管結合体である管絡み防止具１３０とを備えている。
以下、各々について詳述する。
供給側の導管１１０は、人工呼吸器では、呼吸ポンプや蒸気を与えるネブライザーなどの供給側に繋がる導管である。
医療・介護装具１２０は、患者の患部側に装着する装具であり、例えば、呼吸器では、鼻への装着部１２４、これに繋がる岐導管１２３ａ、１２３ｂ、これらを集合する集合部１２２、集合部１２２に繋がる幹導管１２１を有している。幹導管１２１は、管絡み防止具１３０に繋がる。尚、装着部１２４は、Ａ−２、Ａ−３に示すように、鼻に通す鼻管タイプと鼻を覆うマスクタイプがあることは、従来と同じである。
管絡み防止具１３０は、互いに嵌りあって回転結合をした二つの筐体ａ１０１、筐体ｂ１０２を備え、筐体ａ１０１には、導管１１０が接続部１０３において接続し、筐体ｂ１０２には、幹導管１２１が接続部１０４において接続している。後述するように筐体ａ１０１、筐体ｂ１０２間では、供給物を通過する通過路を有しているので、供給物を通過させ、且つ、寝返りなどの動作に対応して両者が自由回転し、管の首絡みを回避する。
尚、岐導管１２３ａ、１２３ｂの途中に保持具１２６を介して結束帯１２５が備えてあるが、これを首に回して装着部１２４を結束するために使用する。
【００１５】
図２は、本発明による医療・介護用管絡み防止具の詳細な実施態様を示す図である。
医療・介護用管絡み防止具１３０について詳述する。
２−Ａは、医療・介護用管絡み防止具を示し、図１で説明した。２−Ｂには、２−Ａで破線で切った断面を示している。筐体ａ１０１は、筐体ｂ１０２に嵌っている。この例では、筐体ａ１０１の筐体ｂ１０２に嵌っている部分がＵの字状部１０１ａ（凹みがある）になっていて、ここにはボールベアリング２０２ａが備えていると、回転を容易にすることが可能である。尚、更に、筐体ｂ１０２の底面２０１ｂに対向して逆Ｕの字状部１０１ｂがあり、ここにもボールベアリング２０２ｂが備えてあると都合がよい。Ｕの字状部１０１ａと逆Ｕの字状部１０１ｂ間には、バネ等の復元弾性体２０３があり、この伸びにより、Ｕの字状部１０１ａを軽く筐体ｂ１０２の上面側に押し付けている。尚、ここでは、Ｕの字状部１０１ａには、供給物の漏れを少なくする目的で、シール片２０５が備えてあり、軽く筐体ｂ１０２の上側面２０１ａ側に接触し、復元弾性体２０３と供給物による押し圧を考慮してもその接触は回転可能な状態である。勿論、多少の漏れが有っても空気や酸素等の場合はなんら不都合はない。尚、底面２０１ｂは、筐体ｂ１０２の上側面２０１ａへの取付・外し可能にしているのは製作上の都合であり、必ずしも必要ない。
２−Ｃにおいて、２−Ｂにおいては、Ｕの字状部１０１ａと逆Ｕの字状部１０１ｂ間は、点線で示すように供給物を通過する多数の孔を有する網状体２０４で接続していたが、２−Ｃにおいては、両者は互いにどちらかが相手の内側に嵌った二つの筒状体でできている場合を記述しているので、供給物を通過する通過孔２１０を備えている場合を示す。医療・介護用管絡み防止具１３０の一つの態様を示したが、形状とはこれにこだわらず、供給物を通過させるものであって、導管の間に介挿され、二つの導管の周りで回転可能になっていればよい。
【００１６】
図３は、取付具を備えた本発明による医療・介護用管絡み防止具の形態の一実施態様を示す図である。医療・介護用管絡み防止具１３０は、前述した通りである。これを有効に稼動させて寝返りの動きがあっても、医療・介護用管絡みがなくするために一番好都合な取付部は、寝返りの動きが一番よく出現する場所に施工することであり、それは、寝返りで回転する頭頂部に付けることも最も好ましい。そのため、頭頂部に固定するに都合が良いさまざまな手段を備えることが好ましい。
３−Ａでは、医療・介護用管絡み防止具１３０の側部の一端に後頭部にかかる受け具３０１を設け、頭の側面と前面で粘着テープ３０２で押えられるものを示す。又、３−Ｂでは、受け具３０１を有するヘルメット３０４とこれを頭に載せてずれないように押える係止ベルト３０３を有するものである。
尚、底部は頭頂部に凸状態に合う形状を有するか、その形状のアタッチメントがあるとよい。
【００１７】
図４は、本発明による医療・介護用管絡み防止具とこれを用いた医療・介護用管絡み防止装置の適用の一実施態様を示す図である。
医療・介護装具１２０と導管１１０と医療・介護用管絡み防止具１３０を備えた医療・介護用管絡み防止装置１００をそのまま患者等に適用してもよいが、図４では、寝相が悪い幼児などには好都合な適用態様を示す。４−Ａにおいて、幼児等を収容したベッド４１０には導管受け柱状体４００を備えている。柱状体４００は、ベッド４１０の柱又はベッド４１０の近傍に立設される。その構成として、柱４０１とその上部に取り付いていて、柱４０１の軸の周りに回転可能な回転台４０２とこれに取りついた滑車４０３と備えている。患者等の寝相が悪くどこに頭があっても、その頭に取り付いた医療・介護用管絡み防止具１３０に接続した導管１１０は、滑車４０３に導かれて、供給物の供給側へ導かれる。患者の頭の位置や方向に対しては、回転台４０２が回転して正対する。また、導管１１０を適度な引力で巻き取る巻取具４０４を備えると極めて好都合である。４−Ｂでは、柱４０１からベッド４１０の中央位置に伸びる棹４０５を備えたものを示している。幼児等の位置や姿勢に対して医療用管の均衡のとれた対応が可能である。
【産業上の利用可能性】
【００１８】
以上のように本発明による医療・介護用管絡み防止具とこれを用いた医療・介護用管絡み防止装置では、赤子等の幼児、意識障害者などが寝返り行動をしても、これらの患者等に施した医療・介護用管が患者等に絡む恐れを回避するので産業上利用して極めて好都合である。
【符号の説明】
【００１９】
１００  医療・介護用管絡み防止装置
１０１  筐体ａ
１０１ａ  Ｕの字状部
１０１ｂ  逆Ｕの字状部
１０２  筐体ｂ
１０３、１０４  接続部
１１０  供給側の導管
１２０  医療・介護装具
１２１  幹導管
１２２  集合部
１２３ａ、１２３ｂ  岐導管
１２４  装着部
１２５  結束帯
１２６  保持具
２０１ａ  上側面
２０１ｂ  底面
２０２ａ、２０２ｂ  ボールベアリング
２０３  復元弾性体
２０４  網状体
２０５  シール片
２１０  通過孔
３０１  受け具
３０２  粘着テープ
３０３  係止ベルト
３０４  ヘルメット
４００  柱状体
４０１  柱
４０２  回転台
４０３  滑車
４０４  巻取具
４０５  棹
【図１】
2015084793.tif 000003
【図２】
2015084793.tif 000004
【図３】
2015084793.tif 000005
【図４】
2015084793.tif 000006
【図５】
2015084793.tif 000007
【図６】
2015084793.tif 000008